(57)【要約】【課題】デジタル放送をＩＰネットワークで再送信する場合、放送ストリームをＰＣでキャプチャーして別の時刻に受信装置に送信すると、デジタル放送において従来使用されているＣＡＳ方式では本来の放送時刻ではない場合でも暗号復号が行われるため、視聴制限の抜け穴となってしまう。【解決手段】ストリーム受信手段が受信した暗号化されたストリームに対し、時刻比較手段は、時刻情報抽出手段が受信したストリームから取得した時刻情報と、ネットワーク時刻取得手段がネットワークを介して時刻サーバから取得したネットワーク時刻が設定された基準時計が示す時刻とを比較し、両者の時刻差が予め設定された許容範囲内である場合のみストリームの暗号復号を行うように制御することにより、過去に放送されたストリームの視聴を制限する。【選択図】図１
2007288558.tif 000002
【特許請求の範囲】
【請求項１】
ネットワークを介して双方向通信を行う通信手段と、
装置全体の基準時刻となる現在時刻を出力する基準時計と、
前記通信手段を介して前記ネットワーク上の時刻サーバからネットワーク時刻を取得し、取得した前記ネットワーク時刻を前記基準時計に設定するネットワーク時刻取得手段と、
前記ネットワークを介して、暗号化されたデータと前記暗号化されたデータを復号するための鍵情報とストリームの送信時刻を示す時刻情報を含む前記ストリームを受信するストリーム受信手段と、
前記ストリーム受信手段で受信した前記ストリームから前記鍵情報を取得する鍵情報取得手段と、
前記鍵情報取得手段が取得した前記鍵情報に基づいて前記ストリーム受信手段で受信した前記暗号化されたデータの暗号を復号する暗号復号手段と、
前記ストリーム受信手段で受信した前記ストリームから前記時刻情報を取得する時刻情報取得手段と、
前記時刻情報取得手段が取得した時刻情報と前記基準時計が出力する時刻とを比較し、その時刻差が予め設定された許容範囲に収まっているか否かの比較結果に基づいて、前記暗号復号手段において前記鍵情報取得手段が取得した前記鍵情報を用いて前記ストリームの暗号を復号するか否かを制御する時刻比較手段と、
を有することを特徴とするストリーム受信装置。
【請求項２】
前記ネットワーク時刻取得手段は、前記時刻サーバが正規の時刻サーバであるか否かを認証する手段を有し、前記時刻サーバが正規の時刻サーバであることを確認した場合にのみ前記時刻サーバからネットワーク時刻を取得し、
前記時刻比較手段は、予め設定された時間内に前記ネットワーク時刻取得手段から前記基準時計に時刻が設定されていなければ、前記時刻情報取得手段が取得する時刻情報と前記基準時計が出力する時刻との比較結果にかかわらず、前記ストリームの暗号の復号を行わないように制御することを特徴とする、請求項１記載のストリーム受信装置。
【請求項３】
前記ストリーム受信手段が、放送電波を介してストリームを受信するストリーム受信手段と前記ネットワークを介してストリームを受信するストリーム受信手段を含む少なくとも二つのストリーム受信手段で構成され、
前記少なくとも二つのストリーム受信手段で受信したストリームを選択し、前記選択したいずれかのストリームを前記暗号復号手段、前記鍵情報取得手段および前記時刻情報取得手段にそれぞれ入力する第１の選択手段と、
前記時刻情報取得手段で取得した前記時刻情報もしくは前記ネットワーク時刻取得手段で取得した前記ネットワーク時刻のいずれかを選択し、前記選択したいずれかの時刻を前記基準時計に設定する第２の選択手段をさらに有し、
前記第１の選択手段で選択されたストリームが、前記放送電波を介してストリームを受信するストリーム受信手段で受信したストリームであるか、あるいは、前記ネットワークを介してストリームを受信するストリーム受信手段で受信したストリームであるかに応じて前記第２の選択手段の選択状態を切り替え、前者の場合は前記時刻情報取得手段で取得した前記時刻情報を、後者の場合は前記ネットワーク時刻取得手段で取得した前記ネットワーク時刻を、それぞれ前記基準時計に設定することを特徴とする請求項１または２記載のストリーム受信装置。
【請求項４】
ネットワークを介して双方向通信を行う通信手段と、
装置全体の基準時刻となる現在時刻を出力する基準時計と、
標準電波を受信して前記標準電波から時刻情報を取得し、前記標準電波から取得した時刻情報を前記基準時計に設定する標準電波受信手段と、
前記ネットワークを介して、暗号化されたデータと前記暗号化されたデータを復号するための鍵情報とストリームの送信時刻を示す時刻情報を含む前記ストリームを受信するストリーム受信手段と、
前記ストリーム受信手段で受信した前記ストリームから前記鍵情報を取得する鍵情報取得手段と、
前記鍵情報取得手段が取得した前記鍵情報に基づいて前記ストリーム受信手段で受信した前記暗号化されたデータの暗号を復号する暗号復号手段と、
前記ストリーム受信手段で受信した前記ストリームから前記時刻情報を取得する時刻情報取得手段と、
前記時刻情報取得手段が取得した時刻情報と前記基準時計が出力する時刻とを比較し、その時刻差が予め設定された許容範囲に収まっているか否かの比較結果に基づいて、前記暗号復号手段において前記鍵情報取得手段が取得した前記鍵情報を用いて前記ストリームの暗号を復号するか否かを制御する時刻比較手段と、
を有することを特徴とするストリーム受信装置。
【請求項５】
暗号化されたデータと前記暗号化されたデータを復号するための鍵情報とストリームの送信時刻を示す時刻情報を含む前記ストリームをネットワークを介して受信する複数のストリーム受信手段と、
前記複数のストリーム受信手段で受信した複数のストリームの中から一つのストリームを選択する選択手段と、
前記選択手段により選択されたストリームから前記鍵情報を取得する鍵情報取得手段と、
前記鍵情報取得手段が取得した前記鍵情報に基づいて前記選択手段により選択されたストリームの暗号を復号する暗号復号手段と、
前記複数のストリーム受信手段で受信した複数のストリームからそれぞれ時刻情報を取得する複数の時刻情報取得手段と、
前記複数の時刻情報取得手段で取得した前記それぞれの時刻情報を比較し、それぞれの時刻差が予め設定された許容範囲に収まっているか否かの比較結果に基づいて、前記暗号復号手段において前記鍵情報取得手段が取得した前記鍵情報を用いて前記選択手段により選択されたストリームの暗号を復号するか否かを制御する時刻比較手段と、
を有することを特徴とするストリーム受信装置。
【発明の詳細な説明】
【技術分野】
【０００１】
本発明は、ＩＰ網を用いて映像や音声などの配信サービスを受信して表示する場合の著作物保護の技術に関する。
【背景技術】
【０００２】
衛星デジタル放送や地上デジタル放送などのデジタル放送では、正規の受信装置でのみ視聴できるようにしたり、特定の番組を契約済みの受信装置でのみ視聴できるようにするためのしくみとして、ＣＡＳ（Ｃｏｎｄｉｔｉｏｎａｌ  Ａｃｃｅｓｓ  Ｓｙｓｔｅｍ）と呼ばれる限定受信方式を用いている。例えば、日本ではＢ−ＣＡＳ（ＢＳ  Ｃｏｎｄｉｔｉｏｎａｌ  Ａｃｃｅｓｓ  Ｓｙｓｔｅｍ）と呼ばれる方式が用いられている。
【０００３】
デジタル放送における限定受信方式については、例えば、特許文献１にその技術内容の一例が開示されている。
【０００４】
デジタル放送を受信する従来のストリーム受信装置の動作について、図６及び図７を用いて以下に説明する。なお、図６は、従来のストリーム受信装置の構成を示すブロック図であり、図７は、チューナー１２１が受信して出力するストリームのフォーマットの概要を示した図である。
【０００５】
図７にその構成が示されるストリームは、ＭＰＥＧ２規格のＴＳ（Ｔｒａｎｓｐｏｒｔ  Ｓｔｒｅａｍ）形式であり、ＴＳパケット７０１と呼ばれる固定長（１８８バイト）のパケットに区切られて伝送される。各ＴＳパケット７０１は、それぞれヘッダ部７１０とペイロード部７２０に分けられる。ヘッダ部７１０には、ＰＩＤ（Ｐａｃｋｅｔ  ＩＤｅｎｔｉｆｉｅｒ）と呼ばれる各ＴＳパケット７０１の種類を識別するための識別子が含まれている。ＴＳストリームには、映像データおよび音声データに加えて、鍵情報や、時刻情報などの制御データが多重されており、それぞれのデータは適当な大きさに分割されて各ＴＳパケット７０１のペイロード部７２０にマッピングされ、各ＴＳパケット７０１のＰＩＤには、映像、音声および各制御データの種類ごとに、それぞれ別の値が割り当てられる。なお、各データのＰＩＤ値の指定方法は、あらかじめ規格で決めておくか、決められたＰＩＤを持ったデータから間接的に指定するかのいずれかの方法による。
【０００６】
映像データはＭＰＥＧ２−Ｖｉｄｅｏ形式で圧縮符号化され、また音声データはＭＰＥＧ２−ＡＡＣ形式で圧縮符号化されて、それぞれＴＳパケット７０１のペイロード部７２０にマッピングされている。これらのデータは暗号化されており、それらを復号するための鍵情報はＥＣＭ（Ｅｎｔｉｔｌｅｍｅｎｔ  Ｃｏｎｔｒｏｌ  Ｍｅｓｓａｇｅ）と呼ばれるデータ形式で、特定のＰＩＤを持つＴＳパケット７０１のペイロード部７２０に配置され、周期的に伝送される。ＥＣＭには、鍵情報のほかに番組の識別子などの番組情報も含まれている。
【０００７】
また、ＴＳストリームにはストリーム放送時の現在時刻を示す情報が周期的に多重されており、これらは、ＴＯＴ（Ｔｉｍｅ  Ｏｆｆｓｅｔ  Ｔａｂｌｅ）又はＴＤＴ（Ｔｉｍｅ  Ｄａｔｅ  Ｔａｂｌｅ）と呼ばれるデータ形式で、特定のＰＩＤを持つＴＳパケット７０１のペイロード部７２０にマッピングされて周期的に伝送される。ＴＯＴとＴＤＴは、一般にはいずれか一方のみ運用される。
【０００８】
次に、図６に示す従来のストリーム受信装置１０９の動作について説明する。
【０００９】
チューナー１２１は、ストリーム受信手段として動作し、デジタル放送の電波を受信してＴＳストリームを出力する。多重分離部１１２は、チューナー１２１から入力されたＴＳストリームを構成する各ＴＳパケットのヘッダ部に含まれるＰＩＤを参照することにより、映像データ、音声データおよび鍵情報としてのＥＣＭと、時刻情報としてのＴＯＴ又はＴＤＴなどのＴＳパケット７０１を分離し、ペイロード部７２０からそれぞれデータを抽出する。
【００１０】
即ち、多重分離部１１２は、予め指定されたＰＩＤの値により、ＴＯＴ又はＴＤＴを含むＴＳパケット７０１を取得してペイロード部７２０からＴＯＴ又はＴＤＴを抽出し、その抽出したＴＯＴ又はＴＤＴを時刻情報抽出部１１７に渡す。時刻情報抽出部１１７は、多重分離部１１２との組み合わせで時刻情報取得手段として動作し、ＴＯＴ又はＴＤＴから時刻情報を抽出し、その抽出した時刻情報を現在時刻として基準時計１１９に設定する。基準時計１１９が示す現在時刻は、ストリーム受信装置１０９全体の基準時刻として用いられ、例えば、番組表の表示や、番組の予約視聴などの基準時刻として用いられる。
【００１１】
また、多重分離部１１２は、予め指定されたＰＩＤの値により、ＥＣＭを含むＴＳパケットを取得してペイロード部７２０からＥＣＭを抽出し、その抽出したＥＣＭを鍵情報抽出部１９６に渡す。鍵情報抽出部１９６には、ストリーム受信装置１０９において視聴可能な番組の条件を示す視聴条件が、あらかじめ別の手段によって設定されている。この視聴条件には、視聴可能な番組の識別子などが含まれている。鍵情報抽出部１９６は、多重分離部１１２との組み合わせで鍵情報取得手段として動作し、多重分離部１１２から受け取ったＥＣＭから番組情報と暗号鍵を抽出し、抽出した番組情報が予め設定されている視聴条件を満たしていると判定したときは、抽出した暗号鍵を暗号復号部１１３に設定する。
【００１２】
同様に、多重分離部１１２は、チューナー１２１から入力されたＴＳストリームから暗号化された映像データおよび音声データを抽出し、その抽出した映像データおよび音声データを暗号復号部１１３に渡す。多重分離部１１２との組み合わせで暗号復号手段として動作する暗号復号部１１３は、鍵情報抽出部１９６から設定された暗号鍵を用いて、映像データおよび音声データの暗号の復号処理を施した後、その暗号の復号処理を施した映像データおよび音声データを映像・音声復号部１１４に渡す。映像・音声復号部１１４は、暗号復号部１１３から受け取った映像データおよび音声データに対してＭＰＥＧ２−ＶｉｄｅｏやＭＰＥＧ２−ＡＡＣの復号処理を行なった後、その復号した映像情報および音声情報を表示部１１５に送信して表示する。
【００１３】
以上の動作により、ＥＣＭに含まれる番組情報が鍵情報抽出部１９６に予め設定されている視聴条件を満たしていないと判定された場合は、暗号復号部１１３に鍵が設定されないために暗号の復号が行われず、したがって、映像データおよび音声データは正しく復号されないために正しく表示されない。このようにして、視聴条件による視聴制限を行うことができる。
【特許文献１】特開平１１−３４１４６７号公報
【発明の開示】
【発明が解決しようとする課題】
【００１４】
しかしながら、今後、ブロードバンドと言われる広帯域のＩＰ（Ｉｎｔｅｒｎｅｔ  Ｐｒｏｔｏｃｏｌ）ネットワークが普及してくると、ＣＡＴＶと同じような形態で、ＩＰネットワークを使ってデジタル放送を再送信することが可能になるが、ＩＰによる放送は電波による放送と異なり、放送データをパーソナルコンピュータ（以下、ＰＣと称す）などを用いて容易に取り込むことができるという特徴があり、そのため、従来の限定受信方式をそのまま適用しただけでは、十分に著作物の保護ができないという課題がある。即ち、再送信されたストリームをＰＣなどでＩＰパケットとして取り込んでハードディスクなどに蓄積し、一旦蓄積した後にその蓄積したストリームをストリーム受信装置に対して送信すると、一旦蓄積されたストリームであってもストリーム受信装置は本来の放送と区別ができず、本来の放送受信時と同じように暗号復号を行い、再生してしまう。
【００１５】
本発明は、上記のような課題を解決することを目的とする。
【課題を解決するための手段】
【００１６】
上記課題を解決するために、本願の第１の発明（請求項１に対応）のストリーム受信装置は、ネットワークを介して双方向通信を行う通信手段と、装置全体の基準時刻となる現在時刻を出力する基準時計と、前記通信手段を介して前記ネットワーク上の時刻サーバからネットワーク時刻を取得し、取得した前記ネットワーク時刻を前記基準時計に設定するネットワーク時刻取得手段と、前記ネットワークを介して、暗号化されたデータと前記暗号化されたデータを復号するための鍵情報とストリームの送信時刻を示す時刻情報を含む前記ストリームを受信するストリーム受信手段と、前記ストリーム受信手段で受信した前記ストリームから前記鍵情報を取得する鍵情報取得手段と、前記鍵情報取得手段が取得した前記鍵情報に基づいて前記ストリーム受信手段で受信した前記暗号化されたデータの暗号を復号する暗号復号手段と、前記ストリーム受信手段で受信した前記ストリームから前記時刻情報を取得する時刻情報取得手段と、前記時刻情報取得手段が取得した時刻情報と前記基準時計が出力する時刻とを比較し、その時刻差が予め設定された許容範囲に収まっているか否かの比較結果に基づいて、前記暗号復号手段において前記鍵情報取得手段が取得した前記鍵情報を用いて前記ストリームの暗号を復号するか否かを制御する時刻比較手段と、を有することを特徴とするものである。
【００１７】
このような構成によれば、ＩＰネットワークを使ってデジタル放送を再送信する場合においても、電波によるデジタル放送における従来の限定受信方式と同様に、放送番組などの著作物の保護を十分に行なうことができる。
【００１８】
また、第２の発明（請求項２に対応）のストリーム受信装置は、第１の発明のストリーム受信装置において、前記ネットワーク時刻取得手段は、前記時刻サーバが正規の時刻サーバであるか否かを認証する手段を有し、前記時刻サーバが正規の時刻サーバであることを確認した場合にのみ前記時刻サーバからネットワーク時刻を取得し、前記時刻比較手段は、予め設定された時間内に前記ネットワーク時刻取得手段から前記基準時計に時刻が設定されていなければ、前記時刻情報取得手段が取得する時刻情報と前記基準時計が出力する時刻との比較結果にかかわらず、前記ストリームの暗号の復号を行わないように制御することを特徴とするものである。
【００１９】
このような構成によれば、通信相手である時刻サーバが正しい相手（時刻サーバ）であることを認証することができ、また、通信は暗号化されているため、時刻サーバに成りすまして「現在時刻」とは異なる時刻を設定するといった不正行為を防ぐことができる。
【００２０】
また、第３の発明（請求項３に対応）のストリーム受信装置は、第１の発明または第２の発明のストリーム受信装置において、前記ストリーム受信手段が、放送電波を介してストリームを受信するストリーム受信手段と前記ネットワークを介してストリームを受信するストリーム受信手段を含む少なくとも二つのストリーム受信手段で構成され、前記少なくとも二つのストリーム受信手段で受信したストリームを選択し、前記選択したいずれかのストリームを前記暗号復号手段、前記鍵情報取得手段および前記時刻情報取得手段にそれぞれ入力する第１の選択手段と、前記時刻情報取得手段で取得した前記時刻情報もしくは前記ネットワーク時刻取得手段で取得した前記ネットワーク時刻のいずれかを選択し、前記選択したいずれかの時刻を前記基準時計に設定する第２の選択手段をさらに有し、前記第１の選択手段で選択されたストリームが、前記放送電波を介してストリームを受信するストリーム受信手段で受信したストリームであるか、あるいは、前記ネットワークを介してストリームを受信するストリーム受信手段で受信したストリームであるかに応じて前記第２の選択手段の選択状態を切り替え、前者の場合は前記時刻情報取得手段で取得した前記時刻情報を、後者の場合は前記ネットワーク時刻取得手段で取得した前記ネットワーク時刻を、それぞれ前記基準時計に設定することを特徴とするものである。
【００２１】
このような構成によれば、電波によるデジタル放送を受信中は受信したストリームから分離／抽出した時刻情報によって基準時計を設定し、ＩＰによる放送を受信中はネットワーク上の時計サーバから取得した時刻情報によって基準時計を設定することにより、電波による放送のみを受信する場合、ＩＰによる放送のみを受信する場合、あるいは電波による放送とＩＰによる放送の両方を受信する場合のいずれの場合であっても、基準時計に正しく現在時刻を設定することができるとともに、ＩＰネットワークを使ってデジタル放送を再送信する場合においても、電波によるデジタル放送を受信する場合においても、電波によるデジタル放送における従来の限定受信方式と同様に放送番組などの著作物の保護を十分に行なうことができる。また、万が一時刻サーバが異常になった場合でも、少なくとも電波による放送は正常に受信することができるとともに、電波によるデジタル放送における従来の限定受信方式と同様に放送番組などの著作物の保護を十分に行なうことができる。
【００２２】
また、第４の発明（請求項４に対応）のストリーム受信装置は、ネットワークを介して双方向通信を行う通信手段と、装置全体の基準時刻となる現在時刻を出力する基準時計と、標準電波を受信して前記標準電波から時刻情報を取得し、前記標準電波から取得した時刻情報を前記基準時計に設定する標準電波受信手段と、前記ネットワークを介して、暗号化されたデータと前記暗号化されたデータを復号するための鍵情報とストリームの送信時刻を示す時刻情報を含む前記ストリームを受信するストリーム受信手段と、前記ストリーム受信手段で受信した前記ストリームから前記鍵情報を取得する鍵情報取得手段と、前記鍵情報取得手段が取得した前記鍵情報に基づいて前記ストリーム受信手段で受信した前記暗号化されたデータの暗号を復号する暗号復号手段と、前記ストリーム受信手段で受信した前記ストリームから前記時刻情報を取得する時刻情報取得手段と、前記時刻情報取得手段が取得した時刻情報と前記基準時計が出力する時刻とを比較し、その時刻差が予め設定された許容範囲に収まっているか否かの比較結果に基づいて、前記暗号復号手段において前記鍵情報取得手段が取得した前記鍵情報を用いて前記ストリームの暗号を復号するか否かを制御する時刻比較手段と、を有することを特徴とするものである。
【００２３】
このような構成によれば、標準電波から抽出される時刻情報は、精度が高く、しかも、受信した標準電波から抽出した時刻情報でのみ基準時計の設定を行う構成とすることにより、使用者（視聴者）が基準時計を故意にずらすことができなくなるため、基準時計に設定される時刻を信頼できる時刻として用いることができる。したがって、第１の発明と同様にＩＰネットワークを使ってデジタル放送を再送信する場合においても、電波によるデジタル放送における従来の限定受信方式と同様に、放送番組などの著作物の保護を十分に行なうことができる。
【００２４】
また、第５の発明（請求項５に対応）のストリーム受信装置は、暗号化されたデータと前記暗号化されたデータを復号するための鍵情報とストリームの送信時刻を示す時刻情報を含む前記ストリームをネットワークを介して受信する複数のストリーム受信手段と、前記複数のストリーム受信手段で受信した複数のストリームの中から一つのストリームを選択する選択手段と、前記選択手段により選択されたストリームから前記鍵情報を取得する鍵情報取得手段と、前記鍵情報取得手段が取得した前記鍵情報に基づいて前記選択手段により選択されたストリームの暗号を復号する暗号復号手段と、前記複数のストリーム受信手段で受信した複数のストリームからそれぞれ時刻情報を取得する複数の時刻情報取得手段と、前記複数の時刻情報取得手段で取得した前記それぞれの時刻情報を比較し、それぞれの時刻差が予め設定された許容範囲に収まっているか否かの比較結果に基づいて、前記暗号復号手段において前記鍵情報取得手段が取得した前記鍵情報を用いて前記選択手段により選択されたストリームの暗号を復号するか否かを制御する時刻比較手段と、を有することを特徴とするものである。
【００２５】
このような構成によれば、ネットワーク上に特別の時刻サーバを用意しなくても、第１の発明と同様の効果を得ることができる。すなわち、ＩＰネットワークを使ってデジタル放送を再送信する場合においても、電波によるデジタル放送における従来の限定受信方式と同様に、放送番組などの著作物の保護を十分に行なうことができる。
【発明の効果】
【００２６】
本発明は、以上のような構成により、一旦蓄積されたストリームを本来の放送と区別してそのストリームの視聴を制限することができるため、一旦蓄積した後にその蓄積したストリームを視聴するなどの、コピー保護の抜け穴となるような行為を制限することができる。
【発明を実施するための最良の形態】
【００２７】
以下、本発明の実施の形態について図面を参照しながら説明する。
【００２８】
（実施の形態１）
図１は、本発明の実施の形態１におけるＩＰネットワークによる放送を受信可能なストリーム受信装置１００の構成を示すブロック図である。また、図５は、本発明の実施の形態１におけるストリーム受信装置１００を用いたシステムの一例として、電波によるデジタル放送をＩＰネットワークで再送信し、その再送信されたデジタル放送をストリーム受信装置１００で受信する場合のＩＰ再送信システムの構成を示したイメージ図である。
【００２９】
図５において、デジタル放送送信局６００は、送信アンテナ６０２を介して電波による放送を送信する。ＩＰ放送送信局２００は、受信アンテナ２０２を介して電波による放送を受信し、その受信した放送の放送番組をＩＰネットワーク３００を介してＩＰ放送受信装置、すなわちストリーム受信装置１００に送信する。時刻サーバ４００は、ストリーム受信装置１００に対して正確な時刻情報を提供する。
【００３０】
次に、図１を用いてストリーム受信装置１００の構成について説明する。
【００３１】
図１において、通信インタフェース１１１は、双方向の通信手段としてかつストリーム受信手段として動作し、Ｅｔｈｅｒｎｅｔ（登録商標）、無線ＬＡＮ、あるいはＣＡＴＶモデムなどのインタフェースを用いてＩＰプロトコルによる通信を行う。ネットワーク時刻取得手段として動作するネットワーク時刻取得部１２０は、通信インタフェース１１１を介してＩＰネットワーク上の時刻サーバ（例えば、図５における時刻サーバ４００）から時刻情報を取得し、その取得した時刻情報を現在時刻として基準時計１１９に設定する。時刻比較手段として動作する時刻比較部１１８は、時刻情報抽出部１１７が抽出した時刻情報と、基準時計１１９が示す現在時刻を比較して判定し、その比較判定結果を鍵情報抽出部１１６に出力する。時刻比較部１１８には、比較する２つの時刻の差分値に対して許容範囲があらかじめ設定されている。この許容範囲の例としては、例えば、図５に示すＩＰ放送送信局２００における遅延や、時刻サーバ４００が示す時刻の誤差等を考慮して±１秒程度が想定されるが、この値に限るものではない。鍵情報抽出部１１６は、多重分離部１１２との組み合わせで鍵情報取得手段として動作し、図６における従来のストリーム受信装置１０９の鍵情報抽出部１９６と類似の動作を行うが、時刻比較部１１８から出力される比較判定結果によって、鍵情報を暗号復号部１１３に設定するか否かを切り替える点が従来の鍵情報抽出部１９６と異なる。また、基準時計１１９は、従来のストリーム受信装置１０９におけるものと同様であるが、ネットワーク時刻取得部１２０が取得した時刻情報が設定される点が異なる。ストリーム受信装置１００を構成するその他のブロックは、図６における従来のストリーム受信装置１０９を構成するブロックと同様であるので、同一の符号を付し説明を省略する。
【００３２】
以上のように構成されたＩＰ再送信システムにおけるストリーム受信装置１００の動作について、次に説明する。
【００３３】
図５において、デジタル放送送信局６００は、図７に示すＴＳストリームを送信アンテナ６０２を通じて電波で放送（送信）する。ＩＰ放送送信局２００は、受信アンテナ２０２を介して電波による放送を受信し、ＴＳストリームを取り出し、適当な大きさに分割してＩＰパケットに格納し、そのＩＰパケットをＩＰネットワーク３００を介してストリーム受信装置１００に対して送信する。
【００３４】
図１において、ストリーム受信装置１００における通信インタフェース１１１は、ＩＰ放送送信局２００から送信されたＩＰパケットを受信し、その受信したＩＰパケットから取り出したＴＳストリームを多重分離部１１２に渡す。
【００３５】
多重分離部１１２は、通信インタフェース１１１から渡されたＴＳストリームにおける図７に示す各ＴＳパケット７０１のヘッダ部７１０に含まれているＰＩＤを参照することにより、ＴＳストリームからＴＤＴ又はＴＯＴを分離し、その分離したＴＤＴ又はＴＯＴを時刻情報抽出部１１７に渡し、時刻情報抽出部１１７は、多重分離部１１２から受け取ったＴＤＴ又はＴＯＴから時刻情報を抽出する。また同様にして、多重分離部１１２は、ＴＳストリームからＥＣＭを分離し、その分離したＥＣＭを鍵情報抽出部１１６に渡す。時刻比較部１１８は、基準時計１１９が示す現在時刻と、時刻情報抽出部１１７が抽出した時刻情報、すなわち受信したＴＳストリームの時刻情報を比較し、その時刻差があらかじめ設定されている許容範囲内か否かを判定し、許容範囲内であれば「復号可」を、さもなければ「復号不可」を鍵情報抽出部１１６に対して通知する。鍵情報抽出部１１６は、多重分離部１１２から受け取ったＥＣＭから番組情報と鍵情報を抽出し、番組情報と基準時計１１９が示す現在時刻が、あらかじめ設定された視聴条件を満たし、かつ、時刻比較部１１８から「復号可」を通知された場合のみ、暗号復号部１１３に鍵情報を設定する。暗号復号部１１３、映像・音声復号部１１４および表示部１１５の動作は、図６に示す従来のストリーム受信装置１０９における場合と同様である。
【００３６】
ここで、基準時計１１９が示す「現在時刻」は信頼できる時刻である必要がある。つまり、基準時計１１９が示す「現在時刻」は、信頼できる精度を持ち、かつ、故意に時刻を変更して設定することができないようにする必要がある。そのために、ＩＰネットワーク３００上に信頼できる時刻サーバ４００を設置し、その時刻サーバ４００から以下のようにして現在時刻を取得する。
【００３７】
ネットワーク時刻取得部１２０には、信頼できる時刻サーバ４００のＩＰアドレスがあらかじめ設定されており、ネットワーク時刻取得部１２０は、一定時間ごとに、通信インタフェース１１１を介して、時刻サーバ４００とＳＳＬ（Ｓｅｃｕｒｅ  Ｓｏｃｋｅｔ  Ｌａｙｅｒ）プロトコルによって時刻サーバの認証を行い、正規の時刻サーバであることが認証できた場合のみ、同じくＳＳＬによって保護された通信路上でＮＴＰ（Ｎｅｔｗｏｒｋ  Ｔｉｍｅ  Ｐｒｏｔｏｃｏｌ）を用いて時刻サーバ４００から現在時刻であるネットワーク時刻を取得し、現在時刻が正しく取得できた場合のみ、取得した現在時刻を基準時計１１９に設定する。時刻比較部１１８は、基準時計１１９に正しく時刻が設定されたか否かを監視し、過去の一定時間以内に少なくとも一回は現在時刻が設定されている場合のみ、時刻情報抽出部１１７が抽出した時刻情報と基準時計１１９が示す現在時刻の比較を行い、前述のようにその時刻差があらかじめ設定されている許容範囲内か否かを判定し、許容範囲内であれば「復号可」を、さもなければ「復号不可」を鍵情報抽出部１１６に対して通知し、過去の一定時間以内に一回も現在時刻が設定されていない場合は、鍵情報抽出部１１６に対して常に「復号不可」を出力する。即ち、過去の一定時間以内にネットワーク時刻取得部１２０が時刻サーバ４００から正常に現在時刻を取得できていなければ、鍵情報抽出部１１６は暗号復号部１１３に対して鍵情報の設定を行わない。
【００３８】
また、ＳＳＬにおいては、証明書によって通信相手が正しい相手であることを認証することができ、また、通信は暗号化されているため、時刻サーバに成りすまし「現在時刻」とは異なる時刻を設定するといった不正行為を防ぐことができる。
【００３９】
以上のようにストリーム受信装置１００を構成することにより、ＩＰネットワークを使ってデジタル放送を再送信する場合においても、電波によるデジタル放送における従来の限定受信方式と同様に、放送番組などの著作物の保護を十分に行なうことができる。
【００４０】
なお、上記の例では、時刻サーバとの間で保護された通信を行うためにＳＳＬを用いるとしたが、これに限るものではなく、例えば、ＴＬＳ（Ｔｒａｎｓｐｏｒｔ  Ｌａｙｅｒ  Ｓｅｃｕｒｉｔｙ）などの他のプロトコルを使っても良い。
【００４１】
また、時刻取得プロトコルとしてＮＴＰを使うとしたが、これに限るものではなく、例えば、ＨＴＴＰ（ＨｙｐｅｒＴｅｘｔ  Ｔｒａｎｓｆｅｒ  Ｐｒｏｔｏｃｏｌ）プロトコルのＨＴＴＰヘッダで時刻情報を伝送するなどの方法を用いてもよい。
【００４２】
また、実施の形態１においては、ストリームに多重されている時刻情報としてＴＯＴ又はＴＤＴを用いるとしたが、時刻を表すデータであればこれらに限るものではない。
【００４３】
（実施の形態２）
図２は、本発明の実施の形態２におけるストリーム受信装置１０１の構成を示すブロック図である。本発明の実施の形態２におけるストリーム受信装置１０１は、ＩＰネットワークによる放送の受信に加えて、電波によるデジタル放送も受信できる装置である。このストリーム受信装置１０１は、設置条件等によって電波による放送とＩＰによる放送とを切り替えて受信できる両放送対応型の受信装置として使用する形態も想定されるし、或いは、デジタル衛星放送（ＢＳデジタル放送や１１０度ＣＳデジタル放送等）は電波による放送を受信し、地上デジタル放送はＩＰによる放送で受信するハイブリッド型の受信装置として使用する形態も想定される。これらの使用形態においては、ストリーム受信装置１０１は、電波による放送とＩＰによる放送の両方に対応していても、使用形態によっては電波による放送しか受信しない使い方も有り得るため、本発明の実施の形態１のように、現在時刻をネットワーク上の時刻サーバ４００からのみ取得するように構成すると、現在時刻を基準時計１１９に正しく設定できない場合が起こり得る。また、万が一時刻サーバ４００が異常になった場合、ＩＰによる放送が視聴できなくなることに加えて、電波による放送の視聴もできなくなってしまう恐れがある。
【００４４】
以上のような課題を解決するとともに、ＩＰネットワークを使ってデジタル放送を再送信する場合において、一旦ＰＣなどに蓄積されたストリームをストリーム受信装置が受信する場合は電波によるデジタル放送における従来の限定受信方式と同様には著作物の保護を十分に行なうことができないという課題を解決するため、以下に示すような構成により、受信したストリームから分離／抽出した時刻情報と、時刻サーバ４００から取得した時刻情報とを適宜切り替えて基準時計１１９に設定するように構成する。
【００４５】
以下に、図２を用いて上記の課題を解決するための具体的な構成について説明する。なお、図１および図６におけるブロックと同じ動作をするブロックについては同一の符号を付し、説明は省略する。
【００４６】
図２において、チューナー１２１は、電波による放送を受信するためのストリーム受信手段として動作する。選択部（イ）１２２は、チューナー１２１の出力ストリームと通信インタフェース１１１の出力ストリームのいずれかを選択し、多重分離部１１２に入力するストリームを切り替える第１の選択手段である。選択部（ロ）１２３は、時刻情報抽出部１１７で抽出された時刻情報とネットワーク時刻取得部１２０が取得した時刻情報のいずれかを選択し、基準時計１１９に設定する時刻情報を切り替える第２の選択手段である。なお、上記以外の構成は、図１に示す本発明の実施の形態１における構成と同様である。
【００４７】
次に、以上のように構成されたストリーム受信装置１０１の動作について説明する。
【００４８】
電波によるデジタル放送を受信する場合は、選択部（イ）１２２はチューナー１２１の出力ストリームを選択するように、また、選択部（ロ）１２３は時刻情報抽出部１１７で抽出された時刻情報を選択するようにそれぞれ切り替える。この場合の動作は、図６を用いて説明した従来のストリーム受信装置１０９の動作と同様である。即ち、受信されたストリームに多重されている時刻情報が時刻情報抽出部１１７で抽出され、その抽出された時刻情報が基準時計１１９に設定される。
【００４９】
一方、ＩＰによる放送を受信する場合は、選択部（イ）１２２は通信インタフェース１１１の出力ストリームを選択するように、また、選択部（ロ）１２３はネットワーク時刻取得部１２０が取得した時刻情報を選択するようにそれぞれ切り替える。この場合の動作は、図１を用いて説明した本発明の実施の形態１におけるストリーム受信装置１００の動作と同様である。即ち、ネットワーク時刻取得部１２０がネットワーク上の時刻サーバ４００から時刻情報を取得し、その取得した時刻情報が基準時計１１９に設定される。
【００５０】
以上のように、本発明の実施の形態２のストリーム受信装置１０１においては、電波によるデジタル放送を受信中は受信したストリームから分離／抽出した時刻情報によって基準時計を設定し、ＩＰによる放送を受信中はネットワーク上の時計サーバ４００から取得した時刻情報によって基準時計を設定することにより、電波による放送のみを受信する場合、ＩＰによる放送のみを受信する場合、あるいは電波による放送とＩＰによる放送の両方を受信する場合のいずれの場合であっても、基準時計１１９に正しく現在時刻を設定することができるとともに、ＩＰネットワークを使ってデジタル放送を再送信する場合においても、電波によるデジタル放送を受信する場合においても、電波によるデジタル放送における従来の限定受信方式と同様に放送番組などの著作物の保護を十分に行なうことができる。
【００５１】
また、万が一時刻サーバ４００が異常になった場合でも、少なくとも電波による放送は正常に受信することができるとともに、電波によるデジタル放送における従来の限定受信方式と同様に放送番組などの著作物の保護を十分に行なうことができる。
【００５２】
なお、本発明の実施の形態２においては、チューナー１２１は電波による放送を受信するチューナーとしたが、ＣＡＴＶチューナーのように有線による放送を受信するチューナーであっても良い。
【００５３】
（実施の形態３）
図３は、本発明の実施の形態３におけるストリーム受信装置の構成を示すブロック図である。
【００５４】
図３において、標準電波受信手段として動作する標準電波受信部１３０は、本発明の実施の形態１の構成として示した図１におけるネットワーク時刻取得部１２０に相当するものであり、ＩＰネットワーク３００を介して時刻サーバ４００から時刻情報を取得する代りに、電波時計などで時刻の基準として用いられている標準電波を受信して時刻情報を抽出し、その抽出した時刻情報を基準時計１１９に設定する。これ以外の構成及び動作は、図１を用いて説明した本発明の実施の形態１における場合と同様であるので、図１と同一符号を付し説明を省略する。
【００５５】
ここで用いられる受信した標準電波から抽出される時刻情報は、精度が高く、しかも、受信した標準電波から抽出した時刻情報でのみ基準時計１１９の設定を行う構成とすることにより、使用者（視聴者）が基準時計１１９を故意にずらすことができなくなるため、基準時計１１９に設定される時刻を信頼できる時刻として用いることができる。
【００５６】
以上のようにストリーム受信装置１０２を構成することにより、本発明の実施の形態１におけるストリーム受信装置１００と同様、ＩＰネットワークを使ってデジタル放送を再送信する場合においても、電波によるデジタル放送における従来の限定受信方式と同様に、放送番組などの著作物の保護を十分に行なうことができる。
【００５７】
（実施の形態４）
図４は、本発明の実施の形態４におけるストリーム受信装置の構成を示すブロック図である。本発明の実施の形態４のストリーム受信装置１０３においては、本発明の実施の形態１におけるストリーム受信装置１００と異なり、第一のストリームと第二のストリームの２つのストリームを同時に受信することができる構成となっている。
【００５８】
図４において、第一のストリームを出力する通信インタフェース１１１及び第二のストリームを出力する通信インタフェース１３１は図１における通信インタフェース１１１と、多重分離部１１２及び多重分離部１３２は図１における多重分離部１１２と、時刻情報抽出部１１７及び時刻情報抽出部１３７は図１における時刻情報抽出部１１７と、それぞれ同じ動作をするものである。選択部（ハ）１２８は、第一のストリームを多重分離する多重分離部１１２又は第二のストリームを多重分離する多重分離部１３２によってそれぞれ抽出されたいずれか一方の映像データ及び音声データを選択して暗号復号部１１３に入力する。選択部（ニ）１２９は、第一のストリームを多重分離する多重分離部１１２又は第二のストリームを多重分離する多重分離部１３２によってそれぞれ抽出された鍵情報のいずれか一方を選択して鍵情報抽出部１１６に渡す。この際、選択部（ハ）１２８が第一のストリームを選択する場合は選択部（ニ）１２９も第一のストリームを選択し、選択部（ハ）１２８が第二のストリームを選択する場合は選択部（ニ）１２９も第二のストリームを選択するように動作する。したがって、選択部（ハ）１２８および選択部（ニ）１２９は、二つのストリーム受信手段で受信したストリームの中から一つのストリームを選択する選択手段として動作する。時刻比較部１１８は、時刻情報抽出部１１７で抽出された第一のストリームの時刻情報と、時刻情報抽出部１３７で抽出された第二のストリームの時刻情報とを比較し、その時刻の差があらかじめ設定されている許容範囲内に入っているか否かを判定し、許容範囲内であると判定した場合は「復号可」であることを、さもなければ「復号不可」であることを鍵情報抽出部１１６に通知する。ここで、異なるストリームから時刻情報を取得する場合、時刻情報を取得するタイミングにはストリームによってずれがあるため、時刻比較部１１８に設定される許容範囲の値は、そのずれを考慮して、例えば１０秒程度の値が設定される。
【００５９】
上記以外の構成については、ネットワーク時刻取得部１２０と基準時計１１９を具備しないことを除いて、本発明の実施の形態１におけるストリーム受信装置１００と同様である。
【００６０】
以上のように構成することにより、本発明の実施の形態４のストリーム受信装置１０３においては、複数のストリームにそれぞれ多重されている時刻情報をそれぞれ抽出して比較し、それぞれの時刻情報のずれが大きいと判断した場合は、受信した放送番組を視聴できないように制御することができる。そのため、複数のストリームのうちの一部をＰＣ等で一旦蓄積し、その蓄積したストリームを蓄積後のしかるべき時刻にストリーム受信装置１０３に送信した場合、この一旦蓄積されたストリームから抽出される時刻情報と、ＰＣ等で蓄積されずに直接受信されたストリームから抽出される時刻情報とのずれが大きいことを検出して、ＰＣ等で一旦蓄積された番組を視聴できなくすることができる。したがって、本発明の実施の形態４によれば、ネットワーク上に特別の時刻サーバを用意しなくても、本発明の実施の形態１と同様の効果を得ることができる。すなわち、以上のようにストリーム受信装置１０３を構成することにより、ＩＰネットワークを使ってデジタル放送を再送信する場合においても、電波によるデジタル放送における従来の限定受信方式と同様に、放送番組などの著作物の保護を十分に行なうことができる。
【００６１】
なお、本発明の実施の形態４においては、通信インタフェース及び多重分離部を複数持ち、同時に複数のストリームを受信し、それぞれのストリームから時刻情報を抽出する構成としたが、この構成に限るものではなく、例えば、通信インタフェース及び多重分離部をそれぞれ一つずつ具備し、複数のストリームを順番に切り替えて受信し、多重分離するように構成しても良い。この場合、時刻情報抽出部が抽出したそれぞれのストリームに対応する時刻情報をそれぞれのストリームと対応付けて記憶し、時刻比較手段はその記憶されたそれぞれのストリームに対応する時刻情報を比較することにより、本発明の実施の形態４で示した構成の場合と同等の効果を得ることができる。
【００６２】
また、時刻比較部１１８は、時刻情報抽出部１１７及び時刻情報抽出部１３７がそれぞれ抽出した時刻情報をそのまま比較する構成としたが、時刻情報抽出部１１７及び時刻情報抽出部１３７に、異なるストリームにおける時刻情報を取得する場合のタイミングのずれを吸収できるだけの長さのカウンタをそれぞれ持たせ、時刻比較部１１８はそれぞれのカウンタの値を比較するように構成しても良い。
【００６３】
また、本発明の実施の形態１〜４においては、時刻比較部１１８における比較結果にしたがって鍵情報抽出部１１６が暗号復号部１１３に鍵を設定するか否かを制御する構成としたが、これに限るものではなく、例えば、暗号復号部１１３の動作や映像・音声復号部１１４の動作を制御して、正しく復号できるあるいは正しく復号できないように制御する構成としてもよい。
【００６４】
また、図５は、本発明の実施の形態１におけるストリーム受信装置１００を用いたシステムの一例として、電波によるデジタル放送をＩＰネットワークで再送信し、その再送信されたデジタル放送をストリーム受信装置１００で受信する場合のＩＰ再送信システムの構成を示したイメージ図であるとしたが、ストリーム受信装置１００を用いた場合に限るものではなく、本発明の実施の形態２〜４におけるストリーム受信装置１０１〜１０３を用いた場合も同様である。
【００６５】
また、図５を用いて、電波によるデジタル放送をＩＰネットワークで再送信するシステムについて説明したが、本発明はこれに限定されるものではなく、例えば、図５におけるＩＰ放送送信局２００が保有するストリームをＩＰネットワーク３００を介してストリーム受信装置１００に直接送信する場合や、ＩＰ放送送信局２００が別のＩＰネットワーク経由で入手したストリームをＩＰネットワーク３００を介してストリーム受信装置１００に中継する場合などにおいても、本発明は適用可能である。
【産業上の利用可能性】
【００６６】
本発明のストリーム受信装置は、ＩＰネットワークで暗号化された映像ストリームを著作物を保護して伝送するシステムなどに適用可能であり、特に、デジタル放送をＩＰネットワークで再送信するシステムにおけるストリーム受信装置として有用である。
【図面の簡単な説明】
【００６７】
【図１】本発明の実施の形態１におけるＩＰネットワークによる放送を受信可能なストリーム受信装置の構成を示すブロック図
【図２】本発明の実施の形態２におけるストリーム受信装置の構成を示すブロック図
【図３】本発明の実施の形態３におけるストリーム受信装置の構成を示すブロック図
【図４】本発明の実施の形態４におけるストリーム受信装置の構成を示すブロック図
【図５】本発明の実施の形態１におけるストリーム受信装置を用いたシステムの一例として、電波によるデジタル放送をＩＰネットワークで再送信し、その再送信されたデジタル放送をストリーム受信装置で受信する場合のＩＰ再送信システムの構成を示したイメージ図
【図６】従来のストリーム受信装置の構成を示すブロック図
【図７】デジタル放送で用いられるストリームのフォーマットの概要を示す図
【符号の説明】
【００６８】
１００  ストリーム受信装置
１０１  ストリーム受信装置
１０２  ストリーム受信装置
１０３  ストリーム受信装置
１０９  従来のストリーム受信装置
１１１  通信インタフェース
１１２  多重分離部
１１３  暗号復号部
１１４  映像・音声復号部
１１５  表示部
１１６  鍵情報抽出部
１１７  時刻情報抽出部
１１８  時刻比較部
１１９  基準時計
１２０  ネットワーク時刻取得部
１２１  チューナー
１２２  選択部（イ）
１２３  選択部（ロ）
１２８  選択部（ハ）
１２９  選択部（ニ）
１３０  標準電波受信部
１３１  通信インタフェース
１３２  多重分離部
１３７  時刻情報抽出部
１９６  鍵情報抽出部
２００  ＩＰ放送送信局
２０２  受信アンテナ
３００  ＩＰネットワーク
４００  時刻サーバ
６００  デジタル放送送信局
６０２  送信アンテナ
７０１  ＴＳパケット
７１０  ヘッダ部
７２０  ペイロード部
【図１】
2007288558.tif 000003
【図２】
2007288558.tif 000004
【図３】
2007288558.tif 000005
【図４】
2007288558.tif 000006
【図５】
2007288558.tif 000007
【図６】
2007288558.tif 000008
【図７】
2007288558.tif 000009